(57)【要約】【課題】  ある操作子に対し、状況に応じて相異なる操作機能を自動的に割り当てるとともに、現在、割り当てている操作機能を表示する操作入力装置を提供する。【解決手段】  「MUTE/SEL/ENTERスイッチ」１０は、このスイッチを押す毎に、第１〜第４のパート選択スイッチ１１〜１４に割り当てる機能（ミュート操作機能，セレクト操作機能）を切り替えるという「切替操作機能」を有する。「MUTE/SEL/ENTERスイッチ」１０は、また、「エンター操作機能」を有する。液晶表示器４に表示させる操作画面に応じて、「MUTE/SEL/ENTERスイッチ」１０に対し、「切替操作機能」，「エンター操作機能」の一方を割り当てる。その後、このスイッチが操作されたときに、割り当てられている操作機能が実行される。このスイッチに設けられた表示器１０ａの表示態様によって、現在、割り当てられている操作機能を知らせる。【選択図】図１
2006030841.tif 000002
【特許請求の範囲】
【請求項１】
表示装置に操作画面を表示させながら操作子により機器の設定を行う操作入力装置であって、
前記表示装置に表示させる操作画面を決定する操作画面決定手段と、
該操作画面決定手段により決定された操作画面に応じて、ある操作子に対し、複数の相異なる操作機能の中から１つの操作機能を割り当てるとともに、割り当てた操作機能を、前記ある操作子に対応して設けられている表示器の表示態様によって表示させる操作機能割当手段と、
前記ある操作子が操作されたときに、前記操作機能割当手段により割り当てられている操作機能を実行する操作機能実行手段、
を有することを特徴とする操作入力装置。
【発明の詳細な説明】
【技術分野】
【０００１】
本発明は、表示装置に操作画面を表示させながら操作子により機器の設定を行う操作入力装置に関するものである。
【背景技術】
【０００２】
従来、電子音楽装置の一種に音源装置がある。音源装置は、鍵盤やスピーカを備えていないが、音源波形の生成、音色加工、および、エフェクトの付加等、シンセサイザと同様に多様な機能を有している。
特に、ラックに取り付けるものは、音源モジュールと呼ばれている（非特許文献１参照）。音源モジュールでは、フロントパネルが狭く、配置可能な操作子の数が限られている。
そのため、多数の機能設定を可能とするための工夫として、シフトスイッチの同時押し操作がある。
例えば、「MUTE/SELスイッチ」は、これを押す毎に、パート選択スイッチに「ミュート操作機能」を割り当てるか「セレクト操作機能」を割り当てるかを、交互に切り替えるという、「切替操作機能」が割り当てられている。
一方、「シフトスイッチ」を押しながら、「MUTE/SELスイッチ」を押すと、自身をエンター（エンター）スイッチとして機能させる「エンター操作機能」が割り当てられる。
【０００３】
このように、「切替操作機能」，「エンター操作機能」という２種類の操作機能を１つの「MUTE/SELスイッチ」に割り当てていた。しかし、「シフトスイッチ」を押しながらでは操作しにくい。
そのため、「MUTE/SELスイッチ」単独で、複数種類の操作機能の中から１つを自動的に割り当てるようにしたい。ところが、いずれの操作機能が、現在、「MUTE/SELスイッチ」に割り当てられているのかが理解しにくくなるという問題がある。
【非特許文献１】“MOTIF-RACK取扱説明書”、［online］、2003、YAMAHA CORPORATION、＜http://www2.yamaha.co.jp/manual/pdf/emi/japan/synth/MOTIFRACKJ1.pdf＞
【発明の開示】
【発明が解決しようとする課題】
【０００４】
本発明は、上述した問題点を解決するためになされたもので、ある操作子に対し、状況に応じて、自動的に操作機能を割り当てるとともに、割り当てられている現在の操作機能を表示する、操作入力装置を提供することを目的とするものである。
【課題を解決するための手段】
【０００５】
本発明の請求項１に記載の発明は、操作入力装置において、表示装置に表示させる操作画面を決定する操作画面決定手段と、操作画面に応じて、ある操作子に対し、複数の相異なる操作機能の中から１つの操作機能を割り当てるとともに、割り当てた操作機能を、前記ある操作子に対応して設けられている表示器の表示態様によって表示させる操作機能割当手段と、前記ある操作子が操作されたときに、前記操作機能割当手段により割り当てられている操作機能を実行する操作機能実行手段を有するものである。
【発明の効果】
【０００６】
本発明によれば、状況に応じて、ある操作子に割り当てられる操作機能が自動的に決定されるともに、割り当てられている現在の操作機能が表示されるので、相異なる操作機能を持たせた操作子の操作が簡単でわかりやすくなるという効果がある。
特に狭いフロントパネル面に、限られた数の操作子を用い、動作機能の設定やコンテンツの設定、動作機能の実行制御などをする必要のある、電子音楽装置用の操作入力装置に適している。
【発明を実施するための最良の形態】
【０００７】
図１は、本発明の実施の一形態を説明するための音源モジュールを示す外観図である。
図中、１はフロントパネルである。ボリューム２、データダイヤル５、上カーソルスイッチ６、下カーソルスイッチ７、前ページスイッチ８、次ページスイッチ９、「MUTE/SEL/ENTERスイッチ」１０（ボタン部分に表示器１０ａが設けられている）、第１〜第４のパート選択スイッチ１１〜１４（ボタン部分に表示器が設けられている）、シフトスイッチ１５といった操作子が配置されている。この他にも複数のスイッチがある。
データダイヤル５は、例えば、設定値の変更に用いる。上カーソルスイッチ６，下カーソルスイッチ７は、例えば、液晶表示器４に表示されるパラメータ名のリストから選択するパラメータ名を変更するのに用いる。
【０００８】
シフトスイッチ１５は、背景技術で説明した通り、他のスイッチと同時に押すことにより、操作機能の割当てを変更するのに用いる。しかし、この実施の形態では、「MUTE/SEL/ENTERスイッチ」１０とともには用いない。
前ページスイッチ８、次ページスイッチ９は、例えば、編集対象のパラメータリストが表示される操作画面のページを切り替えたり、編集対象のエフェクトが表示される操作画面のページを切り替えたりするのに用いる。
３はヘッドフォン端子、１６は電源スタンバイ/オンスイッチである。
４は液晶表示器である。状況に応じて多様に切り替わる操作画面が表示される。
操作画面には、フロントパネル１上の操作子による操作対象、例えば、設定項目や設定情報が表示される。
【０００９】
音源モジュールの音源部は、マルチモードにおいて、異なるMIDIチャンネルで独立して制御できる複数のパート、例えば、第１〜第１６のパートで構成される。図６のＳ６４の処理に関連して後述するように、第１〜第４のパート選択スイッチ１１〜１４の操作で、これら１６のパートの１つが選択されるようにしている。
しかし、以下の記載では、説明を簡単にするために、音源部は第１〜第４のパートで構成されるものとし、第１〜第４のパート選択スイッチ１１〜１４のうち、１つを押すことにより、各スイッチに対応するパートが選択されるものとする。
第１〜第４のパート選択スイッチ１１〜１４は、各パートの発音をオンオフ制御する「ミュート操作機能」を有する。このスイッチを押す毎に、対応するパートの楽音信号を発音させる（ミュートオフ）状態と、発音させない（ミュートオン）状態とが、交互に切り替わる。
また、上述した第１〜第４のパート選択スイッチ１１〜１４は、編集の対象とする１つのパートを選択する「セレクト操作機能」を有する。ある１つのスイッチを押せば、対応するパートが編集対象となる。
【００１０】
「MUTE/SEL/ENTERスイッチ」１０は、第１の操作機能として、上述した第１〜第４のパート選択スイッチ１１〜１４に割り当てる機能を切り替えるという「切替操作機能」を有する。この「MUTE/SEL/ENTERスイッチ」１０を押す毎に、第１〜第４のパート選択スイッチ１１〜１４に「ミュート操作機能」および「セレクト操作機能」が、交互に割り当てられる。
「MUTE/SEL/ENTERスイッチ」１０は、第２の操作機能として、「エンター（確定）操作機能」を有する。この「MUTE/SEL/ENTERスイッチ」１０を押すことにより、例えば、選択された情報を確定し、確定された情報に対応する処理を実行する。
【００１１】
従来は、「MUTE/SEL/ENTERスイッチ」１０を単独操作するか、これとシフトスイッチ１５とを同時に押しながら操作をするかによって、上述した相異なる第１，第２の操作機能の割当てを切り替えていた。
これに対し、この実施の形態では、図１の液晶表示器４に表示させる操作画面に応じて、「MUTE/SEL/ENTERスイッチ」１０に対し、第１，第２の操作機能の一方を割り当てるようにし、その後、「MUTE/SEL/ENTERスイッチ」１０が操作されたときに、割り当てられている操作機能が実行されるようにした。
その際、「MUTE/SEL/ENTERスイッチ」１０に、現在、割り当てられている操作機能が、わかりにくい。そのため、「MUTE/SEL/ENTERスイッチ」１０に設けられた表示器１０ａの表示態様によって、現在、割り当てられている操作機能を知らせるようにした。
【００１２】
図２は、「MUTE/SEL/ENTERスイッチ」１０のボタンを示す外観図である。
表示器１０ａは、「MUTE/SEL/ENTERスイッチ」１０のボタン部分に設けられ、例えば、LED（発光ダイオード）を用いる。
図２（ａ）〜図２（ｃ）には、表示器１０ａの３種の表示態様が例示されている。
図２（ａ）に示す表示器１０ａの点灯状態、および、図２（ｂ）に示す表示器１０ａの消灯状態は、「MUTE/SEL/ENTERスイッチ」１０に、「切替操作機能」が割り当てられていることをユーザに知らせる。
同時に、第１〜第４のパート選択スイッチ１１〜１４に「ミュート操作機能」，「セレクタ操作機能」のいずれを割り当てているのかも知らせている。
一方、図２（ｃ）に示す表示器１０ａの点滅状態は、「MUTE/SEL/ENTERスイッチ」１０に、「エンター操作機能」が割り当てられていることを知らせる。
【００１３】
表示態様は、図示のものに限られない。現在、設定されている操作機能を認識でき、1つの操作子に割り当てられた複数の操作機能の識別がユーザにできるものであればよい。多色発光ダイオードを用いて、色相によって操作機能を識別できるようにしてもよい。
【００１４】
フロントパネル１のいずれかの操作子により、液晶表示器４に表示される操作画面が切り替えられた時点で、切り替えられた後の操作画面に応じて、「MUTE/SEL/ENTERスイッチ」１０に割り当てられた操作機能が自動的に変更され、それに伴い、表示器１０ａの表示態様も自動的に変更される。ただし、異なる種類の操作画面に変更されても、引き続き同じ操作機能が割り当てられている場合もある。
上述した各操作画面に対し、１つの操作画面では、ある操作子に１つの操作機能しか必要とされないように操作画面を設計しておけば、上述したような操作機能の自動変更が可能となる。
【００１５】
図３は、本発明の実施の一形態を実現するためのハードウエア構成の一例を示すブロック図である。
図中、２１はバス、２２はCPU、２３はRAM、２４はROMである。RAM２３には、編集中の現在の設定状態を保持するエディットバッファが設けられている。ROM２４には、CPU２２を動作させる制御プログラム、設定データ等が記憶されている。
２５は図１のフロントパネル１に配置された複数の操作子に対応する。２６は操作を検出する検出回路である。
２７は表示部である。図１に示した液晶表示器４、および、一部の操作子、例えば、「MUTE/SEL/ENTERスイッチ」１０のボタン部分に設けられた表示器１０ａに対応する。２８は表示回路である。
【００１６】
２９は外部機器、３０は通信インタフェースである。外部機器２９は、例えば、MIDI鍵盤、ソングデータを再生するシーケンサ等の電子音楽装置、シーケンサ機能を有するパーソナルコンピュータ等である。
本装置にMIDIケーブル、RS232C、USB（Universal Serial Bus）等で接続された外部機器２９は、本装置に演奏情報を出力したり本装置から演奏情報を入力したりする。
３１は音源部である。音源専用集積回路あるいはDSP（Digital Signal Processor）を用いる。
３２はエフェクタである。音源部３１で生成された楽音信号に、残響や歪みなどのエフェクトを付加する。
音源部３１，エフェクタ３２に代えて、CPU２２がプログラムを実行することによって音源機能およびエフェクタ機能を実現する（ソフトウエア音源）ようにしてもよい。
【００１７】
CPU２２は、ROM２４に記憶された制御プログラムをRAM２３に読み出して、操作子２５の操作イベント検出、表示部２７に対する表示制御等の一般的な制御を前提として、液晶表示器４に表示させる操作画面を決定し、決定された操作画面に応じて、「MUTE/SEL/ENTERスイッチ」１０に対し、「切替操作機能」，「エンター操作機能」の一方の操作機能を割り当てるとともに、割り当てた操作機能を、「MUTE/SEL/ENTERスイッチ」１０に対応して設けられている表示器１０ａの表示態様によって表示させ、「MUTE/SEL/ENTERスイッチ」１０が操作されたときに、割り当てられている操作機能を実行するという、操作入力機能を実現する。
【００１８】
また、外部機器２９から入力された演奏情報に応じて音源部３１やエフェクタ３２を制御して、オーディオ出力端子３３から楽音信号を出力させたりする。
ROMに制御プログラムや設定データが記憶されていない場合、これらを記憶したハード磁気ディスク装置を備えたり、これらを記憶させたCD-ROMを読み込む外部記憶装置を備えたりして、それらをRAM２３に読み込んでもよい。
また、通信ネットワークを介してサーバコンピュータと接続し、ここから制御プログラムや設定データをRAM２３あるいは再書き込み可能なROM２４にダウンロードしてもよい。
【００１９】
図４〜図６は、本発明の実施の一形態の動作例を説明するフローチャートである。図３のCPU２２は、制御プログラムに従って各ステップを実行する。
図４は、画面切替操作が検出されたときに起動するフローチャートである。
図１に示したフロントパネル１に配置された複数の操作子のうち、一部の特定の操作子が操作されたとき、または、一部の特定の処理が実行されたときに起動する。
なお、電源投入時には、デフォルトの操作画面が表示され、「MUTE/SEL/ENTERスイッチ」１０の操作機能、表示器１０ａの表示態様は初期状態になっている。
【００２０】
Ｓ４１において、切り替えられた新たな画面における、「MUTE/SEL/ENTERスイッチ」１０に割り当てる操作機能を、ROM２４に記憶された参照テーブルを用いて決定する。参照テーブルは、例えば、表示される操作画面の全種類に対し、「MUTE/SEL/ENTERスイッチ」１０にいずれの操作機能を割り当てるかを規定したものである。
【００２１】
「MUTE/SEL/ENTERスイッチ」１０に「切替操作機能」を割り当てる操作画面としては、例えば、編集操作画面がある。
また、「エンター操作機能」を割り当てる操作画面としては、例えば、デモンストレーションプレイ画面、ライブラリ画面、ストアモード画面がある。
Ｓ４２において、決定された操作機能と、現在、割り当てられている操作機能とを比較し、その異同を判定する。
Ｓ４３において、操作機能が異なるときはＳ４４に処理を進め、同じときはこのフローチャートの処理を終了する。
【００２２】
Ｓ４４において、先にＳ４１にて決定された操作機能に応じて、フラグFLGを設定する。例えば、「切替操作機能」であればFLG＝１とし、「エンター操作機能」であればFLG＝２とする。
Ｓ４５において、「MUTE/SEL/ENTERスイッチ」１０の表示器１０ａを、決定された操作機能に対応した表示態様にする。ただし、「切替操作機能」に決定されたとき、図２（ａ），図２（ｂ）のいずれの表示態様にするかは、電源投入時の初期状態と、その後、「MUTE/SEL/ENTERスイッチ」１０に「切替操作機能」が割り当てられていたときの操作履歴により、現在の設定が「ミュート操作機能」か「セレクト操作機能」かを判別して、判別結果に対応するように決定する。
【００２３】
なお、「切替操作機能」に変更されたとき、最初は、「ミュート操作機能」，「セレクト操作機能」のいずれか一方を優先的に割り当てるようにしてもよい。
このフローチャートでは、Ｓ４３において、操作機能が異なるときにだけ、Ｓ４４，Ｓ４５の処理を行った。これに代えて、操作機能が異ならない場合でもＳ４４，Ｓ４５の処理を実行してもよく、この場合、Ｓ４２，Ｓ４３の処理が不要となる。
このフローチャートにおいては、「MUTE/SEL/ENTERスイッチ」１０に割り当てる操作機能が決定されても、操作機能はまだ実行されない。
【００２４】
図５は、「MUTE/SEL/ENTERスイッチ」１０の操作イベントが検出されたときに起動するフローチャートである。
Ｓ５１において、FLG＝１であるか否かを判定し、そうであればＳ５２に処理を進め、そうでなければＳ５３に処理を進める。
Ｓ５２において、パート選択スイッチ１１〜１４に「ミュート操作機能」，「セレクト操作機能」のうち、いずれの操作機能が割り当てられているか判定する。
Ｓ５４において、現在、「ミュート操作機能」が割り当てられているときはＳ５５に処理を進め、「MUTE/SEL/ENTERスイッチ」１０に割り当てられた「切替操作機能」を実行する。すなわち、パート選択スイッチ１１〜１４に、現在とは逆の「セレクト操作機能」を割り当てる。
Ｓ５７において、「MUTE/SEL/ENTERスイッチ」１０の表示器１０ａの表示態様を図２（ｂ）に示す消灯状態に変更する。
Ｓ５４において、「セレクト操作機能」が割り当てられているときはＳ５６に処理を進め、「MUTE/SEL/ENTERスイッチ」１０に割り当てられた「切替操作機能」を実行する。すなわち、パート選択スイッチ１１〜１４に、「ミュート操作機能」を割り当てる。
Ｓ５８において、表示器１０ａの表示態様を図２（ａ）に示す点灯状態に変更する。
【００２５】
一方、Ｓ５１において、FLG＝２であるときに処理を進めるＳ５３においては、「MUTE/SEL/ENTERスイッチ」１０に割り当てられた「エンター操作機能」を実行する。
例えば、デモンストレーションプレイ画面上で、既に選択されているデモンストレーションソングの演奏を開始させたり、ライブラリ画面上で、既に選択されている「マルチ」，「パフォーマンス」のデータ（パラメータのセット）を編集のための作業用メモリ領域にコピーしたり、ストアモード画面で、既に編集された「ボイス」，「マルチ」のデータ（パラメータのセット）を、編集のための作業用メモリからユーザメモリ領域に保存したりする。
「MUTE/SEL/ENTERスイッチ」１０の表示部１０ａの表示態様は、図４のＳ４５において、図２（ｃ）に示す点滅状態に変更されている。
【００２６】
図６は、パート選択スイッチ１１〜１４のうち、１つのスイッチの操作イベントが検出されたときに起動するフローチャートである。
Ｓ６１において、FLG＝１（切替操作機能）であるか否かを判定し、そうであればＳ６２に処理を進める。
FLG＝２（エンター操作機能）であれば、通常、パート選択スイッチの操作機能は必要とされないので、このフローチャートの処理を終了させる。
Ｓ６２において、パート選択スイッチ１１〜１４に割り当てられている現在の操作機能が「ミュート操作機能」であるか否かを判定し、そうであればＳ６３に処理を進める。
Ｓ６３において、操作が検出されたパート選択スイッチにより選択されたパートについて、ミュートのオンオフをトグルで切り替える。すなわち、現在「ミュートオン」状態であれば「ミュートオフ」状態に切り替え、現在「ミュートオフ」状態であれば「ミュートオン」状態に切り替える。
Ｓ６５において、操作が検出されたパート選択スイッチの表示器（ボタン部分にある）を、切り替え後のミュートのオンオフ状態を表す表示態様にする。例えば、「ミュートオン」は点灯、「ミュートオフ」は消灯にする。
【００２７】
一方、Ｓ６２において、パート選択スイッチ１１〜１４に割り当てられている現在の操作機能が「セレクト操作機能」であるときは、Ｓ６４に処理を進め、操作が検出されたパート選択スイッチにより選択されたパートを編集対象に設定し、そのパートの編集操作画面を液晶表示器４に表示させる。
Ｓ６６において、操作が検出されたパート選択スイッチの表示器を、選択を表す表示態様（例えば点灯状態）にする。ミュートオン状態のパートが編集対象に設定されたときは、操作が検出されたパート選択スイッチの表示器を点滅状態にしてもよい。
それまで別のパートが選択されていたときは、この別のパートは非選択になる。非選択となったパートに対応するパート選択スイッチの表示器は、非選択の表示態様（例えば消灯状態）にする。
【００２８】
なお、音源部が第１〜第１６のパートで構成される場合に、Ｓ６４において、編集対象にするパートを選択するには、例えば、次のようにすればよい。
第１〜第４のパート選択スイッチ１１〜１４には、それぞれ複数のパートが割り当てられている（第１のパート選択スイッチ１１には１，５，９，１３、第２のパート選択スイッチ１２には２，６，１０，１４、第３のパート選択スイッチ１３には３，７，１１，１５、第４のパート選択スイッチ１４には４，８，１２，１６のパート）。
あるパート選択スイッチを押すたびに、そのパート選択スイッチによって最後に選択されていたパート（最後に選択されていたパートは、各パート選択スイッチ毎にメモリに保存されている）から切り替えて、次に割り当てられているパートを選択する。同時に、新たに選択されたパートを、そのパート選択スイッチにより最後に選択されていたパートとしてメモリに保存する。選択されるパートは、割り当てられている限界の値になれば最初の値に戻るというように循環的に選択される。
【００２９】
例えば、第１のパート選択スイッチ１１を操作して第１のパートが選択されているときに、続けて、この第１のパート選択スイッチ１１を操作したとき、あるいは、一旦、別のパート選択スイッチを何回か操作した後、再びこの第１のパート選択スイッチ１１を操作したときは、この第１のパート選択スイッチ１１により最後に選択された第１のパートの、その次に割り当てられている第５のパートを選択するようにする。
音源部が第１〜第１６のパートで構成されている場合、図６のＳ６３においては、Ｓ６４における以上の処理を前提として、今回、操作が検出されたパート選択スイッチにより、編集対象として最後に選択されていたパートを選択して、このパートのミュートのオンオフ状態をトグルで切り替える。
【００３０】
上述した説明は、音源モジュールをマルチモードで使用する場合の説明であったが、ボイスモードで使用する場合もある。
この場合、音源部は、複数のエレメント、例えば、第１〜第４のエレメントを組み合わせた１ボイスパートで構成される。第１〜第４のパート選択スイッチ１１〜１４のうち、１つを押すことにより、各パート選択スイッチに対応する「エレメント」が選択される。このボイスモードの場合は、これまでした説明において「パート」を「エレメント」に置き換えれば説明できるので、説明を省略する。
【００３１】
上述した説明では、操作画面に応じて、２種類の操作機能の中から１つの操作機能が割り当てられる操作子として、「MUTE/SEL/ENTERスイッチ」１０を示したが、他のスイッチやデータダイヤル５のような操作子であってもよい。
また、３種類以上の操作機能の中から１つの操作機能が割り当てられるようにしてもよい。
【００３２】
上述した説明では、表示装置に表示される操作画面は、単一画面であることを前提に説明した。
しかし、操作画面としては、画面の一部の領域が変わることにより異なる種類の操作画面になる場合がある。
また、表示装置に複数のウインドウ画面が表示され、各ウインドウ画面にそれぞれ、相異なる操作画面が表示される場合は、アクティブなウインドウに表示される操作画面が、これまで説明した単一画面による操作画面に相当する。アクティブなウインドウが切り替えられたときは、切り替えられた先の操作画面に応じて、操作機能が割り当てられる。
同様に、表示画面が、複数の領域に分割されていて、領域毎に相異なる操作画面となっている場合にも、アクティブとなる領域の操作画面が、これまで説明した単一画面における操作画面に相当する。
【００３３】
上述した説明では、ある操作子に割り当てた操作機能を、その表示態様の相違によってユーザに知らせる表示器を、その操作子のボタン部分に設けていた。
これに代えて、パネル面上に、上述した表示器を、操作子のボタンに近い部分に、操作子に対応して配置してもよい。あるいは、表示装置の操作画面内に、上述した操作子に対応させた位置に、仮想的な表示器を表示させてもよい。
【００３４】
上述した説明では、本発明を音源モジュールに適用した実施の形態を説明したが、これに限ることなく、操作パネル面に配置される操作子数が少ないために、1つの操作子に複数の操作機能を割り当てなければならない機器にも適用できる。
【図面の簡単な説明】
【００３５】
【図１】本発明の実施の一形態を説明するための音源モジュールを示す外観図である。
【図２】「MUTE/SEL/ENTERスイッチ」１０のボタンを示す外観図である。
【図３】本発明の実施の一形態を実現するためのハードウエア構成の一例を示すブロック図である。
【図４】本発明の実施の一形態の動作例を説明する第１のフローチャートである。
【図５】本発明の実施の一形態の動作例を説明する第２のフローチャートである。
【図６】本発明の実施の一形態の動作例を説明する第３のフローチャートである。
【符号の説明】
【００３６】
１…フロントパネル、２…ボリューム、３…ヘッドフォン端子、４…液晶表示器、５…データダイヤル、６…上カーソルスイッチ、７…下カーソルスイッチ、８…前ページスイッチ、９…次ページスイッチ、１０…「MUTE/SEL/ENTERスイッチ」、１０ａ…表示器、１１〜１４…第１〜第４のパート選択スイッチ、１５…シフトスイッチ、１６…電源スタンバイ/オンスイッチ
【図１】
2006030841.tif 000003
【図２】
2006030841.tif 000004
【図３】
2006030841.tif 000005
【図４】
2006030841.tif 000006
【図５】
2006030841.tif 000007
【図６】
2006030841.tif 000008